(57)【要約】【解決手段】ホルダの頭部に剃刀ヘッドを首振り可能に支持している。剃刀ヘッドに設けたシェービングエイド２５は、薄肉状に形成されて厚み方向Ｘの両側で開放されている。シェービングエイド２５自体には使用時に皮膚面との接触に伴い変形し得る変形可能部２８（溝部２８ａ，薄肉部２８ｂ）を設けている。【効果】シェービングエイド２５自体が変形して、使用時にシェービングエイド２５と皮膚面との接触による剃り抵抗を緩衝するので、皮膚面に対する感触を良くして剃り味を向上させることができる。また、シェービングエイド２５の支持構造を簡単にすることができる。さらに、シェービングエイド２５が水分を含んで膨張変形する方向を膨出緩和部として溝部２８ａ内や厚み方向Ｘの両側に分散するため、シェービングエイド２５が必要以上に膨張変形するのを抑え、膨張変形に伴う皮膚面への接触を緩和して剃り味を向上させることができる。【選択図】図４
2014090932.tif 000002
【特許請求の範囲】
【請求項１】
シェービングエイドを設けた剃刀において、そのシェービングエイド自体には使用時に皮膚面との接触に伴い変形し得る変形可能部を設けたことを特徴とするシェービングエイド付き剃刀。
【請求項２】
前記シェービングエイド自体の変形可能部は可撓部を有していることを特徴とする請求項１に記載のシェービングエイド付き剃刀。
【請求項３】
前記シェービングエイド自体の変形可能部は薄肉部を有していることを特徴とする請求項１に記載のシェービングエイド付き剃刀。
【請求項４】
前記シェービングエイド自体の変形可能部は溝部を有していることを特徴とする請求項１に記載のシェービングエイド付き剃刀。
【請求項５】
前記シェービングエイドは、刃体を有する組付部に設けられていることを特徴とする請求項１〜４のうちいずれか一つの請求項に記載のシェービングエイド付き剃刀。
【請求項６】
前記シェービングエイドは、刃体を有する組付部に支持された状態で設けられた環状の支持部と、その組付部に支持されていない状態で環状の支持部の内側に設けられた非支持部とを有し、前記変形可能部はその非支持部に設けられていることを特徴とする請求項１〜５のうちいずれか一つの請求項に記載のシェービングエイド付き剃刀。
【請求項７】
前記シェービングエイドは、刃体を有する組付部に支持された状態で設けられた支持部と、その組付部に支持されていない状態で設けられた非支持部とを有し、前記変形可能部は非支持部と支持部との境でその非支持部に設けられていることを特徴とする請求項１〜５のうちいずれか一つの請求項に記載のシェービングエイド付き剃刀。
【請求項８】
シェービングエイドを設けた剃刀において、そのシェービングエイド自体には使用時に水分を含んで膨張変形する方向を分散する膨出緩和部を設けたことを特徴とするシェービングエイド付き剃刀。
【請求項９】
前記シェービングエイド自体の膨出緩和部は溝部を有していることを特徴とする請求項８に記載のシェービングエイド付き剃刀。
【請求項１０】
シェービングエイドを設けた剃刀において、そのシェービングエイドは薄肉状に形成されて厚み方向の両側で開放されていることを特徴とするシェービングエイド付き剃刀。
【発明の詳細な説明】
【技術分野】
【０００１】
本発明は、身体の各種部分に生える膚毛を剃ることができるシェービングエイド付き剃刀に関するものである。
【背景技術】
【０００２】
下記の特許文献１において、シェービングエイドを有する台部材は、刃体組付部材に対し回動可能に支持されて板ばねの弾性力により保持され、使用時にその弾性力に抗して揺動してシェービングエイドと皮膚面との接触による剃り抵抗を緩衝することができる。
【先行技術文献】
【特許文献】
【０００３】
【特許文献１】特許第４９２１７４７号公報
【発明の概要】
【発明が解決しようとする課題】
【０００４】
しかし、刃体組付部材に台部材を回動可能に支持して板ばねにより保持する支持構造となっているため、部品点数が増えるとともに刃体組付部材に対する台部材の組付作業を必要として、製造コストが増加する問題があった。また、シェービングエイドが使用時に水分を含んで膨張変形して必要以上に突出すると、シェービングエイドが皮膚面に対し必要以上に圧接されて剃り味を悪くするおそれがあり、また、刃体の刃先が皮膚面に適切に当りにくくなるおそれもあった。
【０００５】
この発明は、シェービングエイドを設けた剃刀において、使用時の剃り味を向上させることを目的としている。また、シェービングエイドの支持構造を簡単にすることを目的としている。
【課題を解決するための手段】
【０００６】
後記実施形態の図面（図１〜４）の符号を援用して本発明を説明する。
請求項１の発明にかかる剃刀にはシェービングエイド（２５）が設けられ、そのシェービングエイド（２５）自体には使用時に皮膚面との接触に伴い変形し得る変形可能部（２８）を設けている。
【０００７】
請求項１の発明では、シェービングエイド（２５）自体が変形して、使用時にシェービングエイド（２５）と皮膚面との接触による剃り抵抗を緩衝するので、皮膚面に対する感触を良くして剃り味を向上させるとともに、シェービングエイド（２５）の支持構造を簡単にすることができる。
【０００８】
請求項１の発明を前提とする請求項２の発明において、前記シェービングエイド（２５）自体の変形可能部（２８）は可撓部（２８ｂ）を有している。請求項２の発明では、シェービングエイド（２５）自体を変形させることができる変形可能部（２８）を可撓部（２８ｂ）により容易に設けることができる。
【０００９】
請求項１の発明を前提とする請求項３の発明において、前記シェービングエイド（２５）自体の変形可能部（２８）は薄肉部（２８ｂ）を有している。請求項３の発明では、シェービングエイド（２５）自体を変形させることができる変形可能部（２８）を薄肉部（２８ｂ）により容易に設けることができる。
【００１０】
請求項１の発明を前提とする請求項４の発明において、前記シェービングエイド（２５）自体の変形可能部（２８）は溝部（２８ａ）を有している。請求項４の発明では、シェービングエイド（２５）自体を変形させることができる変形可能部（２８）を溝部（２８ａ）により容易に設けることができる。
【００１１】
請求項１〜４のうちいずれか一つの請求項の発明を前提とする請求項５の発明において、前記シェービングエイド（２５）は、刃体（１４）を有する組付部（９）に設けられている。請求項５の発明では、シェービングエイド（２５）を組付部（９）と一体化して、シェービングエイド（２５）の支持構造を簡単にすることができる。
【００１２】
請求項１〜５のうちいずれか一つの請求項の発明を前提とする請求項６の発明において、前記シェービングエイド（２５）は、刃体（１４）を有する組付部（９）に支持された状態で設けられた環状の支持部（２６）と、その組付部（９）に支持されていない状態で環状の支持部（２６）の内側に設けられた非支持部（２７）とを有し、前記変形可能部（２８）はその非支持部（２７）に設けられている。請求項６の発明では、シェービングエイド（２５）を環状の支持部（２６）で組付部（９）に支持することができるとともに、シェービングエイド（２５）を非支持部（２７）の変形可能部（２８）で容易に変形させることができる。
【００１３】
請求項１〜５のうちいずれか一つの請求項の発明を前提とする請求項７の発明において、前記シェービングエイド（２５）は、刃体（１４）を有する組付部（９）に支持された状態で設けられた支持部（２６）と、その組付部（９）に支持されていない状態で設けられた非支持部（２７）とを有し、前記変形可能部（２８）は非支持部（２７）と支持部（２６）との境でその非支持部（２７）に設けられている。請求項７の発明では、シェービングエイド（２５）を支持部（２６）で組付部（９）に支持することができるとともに、変形可能部（２８）を境としてシェービングエイド（２５）の変形度を変えて、組付部（９）に対するシェービングエイド（２５）の支持及び変形を容易に行うことができる。
【００１４】
請求項８の発明にかかる剃刀にはシェービングエイド（２５）が設けられ、そのシェービングエイド（２５）自体には使用時に水分を含んで膨張変形する方向を分散する膨出緩和部（２８ａ）を設けている。
【００１５】
請求項８の発明では、シェービングエイド（２５）が必要以上に膨張変形するのを防止することができるので、使用時にシェービングエイド（２５）が皮膚面に対し必要以上に圧接されるのを防止するとともに刃体（１４）の刃先（１４ａ）が皮膚面に適切に当たるようにして剃り味を向上させることができる。
【００１６】
請求項８の発明を前提とする請求項９の発明において、前記シェービングエイド（２５）自体の膨出緩和部は溝部（２８ａ）を有している。請求項９の発明では、シェービングエイド（２５）自体の膨張変形方向を分散させる膨出緩和部を溝部（２８ａ）により容易に設けることができる。
【００１７】
請求項１０の発明にかかる剃刀にはシェービングエイド（２５）が設けられ、そのシェービングエイド（２５）は薄肉状に形成されて厚み方向（Ｘ）の両側で開放されている。例えば、厚み方向（Ｘ）の両側のうち少なくとも一方の側で刃体（１４）の刃先（１４ａ）が皮膚面に当たる。
【００１８】
請求項１０の発明では、使用時にシェービングエイド（２５）が水分を含んで厚み方向（Ｘ）の両側へ膨張変形してシェービングエイド（２５）の膨張変形方向を分散するので、シェービングエイド（２５）が必要以上に膨張変形するのを抑え、使用時にシェービングエイド（２５）が皮膚面に対し必要以上に圧接されるのを防止するとともに刃体（１４）の刃先（１４ａ）が皮膚面に適切に当たるようにして剃り味を向上させることができる。
【００１９】
次に、請求項以外の技術的思想について実施形態の図面の符号を援用して説明する。
請求項５の発明を前提とする第１１の発明において、前記シェービングエイド（２５）は、組付部（９）に設けた貫通孔（２０）の貫通方向（Ｘ）の両側における端縁部（２０ａ，２０ｂ）間に設けられている。第１１の発明では、シェービングエイド（２５）が貫通孔（２０）の外側へ必要以上に膨張変形するのを抑え、使用時にシェービングエイド（２５）が皮膚面に対し必要以上に圧接されるのを防止するとともに刃体（１４）の刃先（１４ａ）が皮膚面に適切に当たるようにして剃り味を向上させることができる。
【００２０】
請求項５の発明または第１１の発明を前提とする第１２の発明において、前記シェービングエイド（２５）は、組付部（９）において刃体（１４）の刃先（１４ａ）に対する反対側に設けられている。第１２の発明では、組付部（９）にシェービングエイド（２５）を設けるスペースを容易に確保することができる。
【００２１】
請求項５の発明または第１１の発明または第１２の発明を前提とする第１３の発明において、前記シェービングエイド（２５）は、変形可能部（２８）を境として、互いに変形度の異なる部分（２６，２７）を有している。第１３の発明では、変形可能部（２８）を境としてシェービングエイド（２５）の変形度を変えて、組付部（９）に対するシェービングエイド（２５）の支持及び変形を容易に行うことができる。
【００２２】
請求項１〜５の発明または第１１〜１３の発明のうちいずれか一つの発明を前提とする第１４の発明において、前記シェービングエイド（２５）は、刃体（１４）を有する組付部（９）に支持された状態で設けられた支持部（２６）と、その組付部（９）に支持されていない状態で設けられた非支持部（２７）とを有し、前記変形可能部（２８）はその非支持部（２７）に設けられている。第１４の発明では、シェービングエイド（２５）を支持部（２６）で組付部（９）に支持することができるとともに、シェービングエイド（２５）を非支持部（２７）の変形可能部（２８）で容易に変形させることができる。
【００２３】
第１４の発明を前提とする第１５の発明にかかるシェービングエイド（２５）において、非支持部（２７）は厚み方向（Ｘ）の両側で開放されている。例えば、厚み方向（Ｘ）の両側のうち少なくとも一方の側で刃体（１４）の刃先（１４ａ）が皮膚面に当たる。第１５の発明では、使用時にシェービングエイド（２５）が水分を含んで厚み方向（Ｘ）の両側へ膨張変形してシェービングエイド（２５）の膨張変形方向を分散するので、シェービングエイド（２５）が必要以上に膨張変形するのを抑え、使用時にシェービングエイド（２５）が皮膚面に対し必要以上に圧接されるのを防止するとともに刃体（１４）の刃先（１４ａ）が皮膚面に適切に当たるようにして剃り味を向上させることができる。
【００２４】
第１４の発明または第１５の発明を前提とする第１６の発明にかかるシェービングエイド（２５）において、非支持部（２７）は両支持部（２６）間に設けられている。第１６の発明では、組付部（９）に対するシェービングエイド（２５）の支持及び変形を容易に行うことができる。
【００２５】
第１４の発明または第１５の発明を前提とする第１７の発明にかかるシェービングエイド（２５）において、非支持部（２７）は環状の支持部（２６）の内側に設けられている。第１７の発明では、組付部（９）に対するシェービングエイド（２５）の支持及び変形を容易に行うことができる。
【００２６】
第１４〜１７の発明のうちいずれか一つの発明を前提とする第１８の発明にかかるシェービングエイド（２５）において、非支持部（２７）の変形可能部（２８）は、支持部（２６）との境に設けられている。第１８の発明では、変形可能部（２８）を境としてシェービングエイド（２５）の変形度を変えて組付部（９）に対するシェービングエイド（２５）の支持及び変形を容易に行うことができる。
【００２７】
第１４〜１８の発明のうちいずれか一つの発明を前提とする第１９の発明にかかるシェービングエイド（２５）において、非支持部（２７）の最大厚みは支持部（２６）の最大厚みより薄く設定されている。第１９の発明では、シェービングエイド（２５）において非支持部（２７）を容易に変形させることができる。
【００２８】
請求項１〜１０の発明または第１１〜１９の発明のうちいずれか一つの発明を前提とする第２０の発明にかかるシェービングエイド（２５）において、刃体（１４）の刃先（１４ａ）に対し交叉する方向（Ｚ）の幅は、刃体（１４）の刃先（１４ａ）に沿う方向（Ｙ）の両側ほど狭く設けられ、その両側間の中間で最も広く設けられている。第２０の発明では、刃体（１４）の刃先（１４ａ）に沿う方向（Ｙ）の中間部でシェービングエイド（２５）の幅を広く設けることにより、使用時にシェービングエイド（２５）と皮膚面との接触による剃り抵抗を緩衝し易くして剃り味を向上させることができる。
【００２９】
請求項１〜１０の発明または第１１〜２０の発明のうちいずれか一つの発明を前提とする第２１の発明にかかるシェービングエイド（２５）は、射出成形により成形されて、刃体（１４）を有する組付部（９）に設けられている。第２１の発明では、組付部（９）にシェービングエイド（２５）を容易に一体成形することができる。
【００３０】
請求項１〜１０の発明または第１１〜２１の発明のうちいずれか一つの発明を前提とする第２２の発明にかかるシェービングエイド（２５）は、少なくとも、水溶性成分と、軟質樹脂を含む非水溶性成分とにより成形され、非水溶性成分において軟質樹脂がシェービングエイド（２５）の全体に対し占める重量割合は、水溶性成分がシェービングエイド（２５）の全体に対し占める重量割合より大きく設定されている。第２２の発明では、剃り味を向上させるシェービングエイド（２５）を提供することができる。
【発明の効果】
【００３１】
本発明は、シェービングエイド（２５）を設けた剃刀において、使用時に剃り味を向上させることができる。また、シェービングエイド（２５）の支持構造を簡単にすることができる。
【図面の簡単な説明】
【００３２】
【図１】（ａ）は首振り式剃刀において剃刀ヘッドの中立位置でキャップを装着して正面側から見た全体斜視図であり、（ｂ）は同じく背面側から見た全体斜視図である。
【図２】（ａ）は図１（ａ）（ｂ）の首振り式剃刀においてホルダの頭部及び剃刀ヘッドを示す部分拡大側面図であり、（ｂ）は同じく側面側から見た部分拡大断面図である。
【図３】（ａ）は図１（ａ）（ｂ）の首振り式剃刀においてホルダの頭部及び剃刀ヘッドを示す部分拡大正面図であり、（ｂ）は同じく部分拡大背面図である。
【図４】（ａ）は図３（ａ）において上下両側のシェービングエイドのうち上側のシェービングエイドのみを示す部分拡大縦断面図であり、（ｂ）は同じく部分拡大横断面図である。
【発明を実施するための形態】
【００３３】
以下、本発明の一実施形態にかかる剃刀について図面を参照して説明する。
図１（ａ）（ｂ）に示すように、ホルダ１においては把持部２の上端部に頭部３が設けられている。頭部３の正面側には剃刀ヘッド４が首振り機構５により取り付けられている。剃刀ヘッド４の下側にはキャップ４ａが下方から上方へ着脱可能に嵌め込まれている。
【００３４】
図２（ａ）（ｂ）に示すように、首振り機構５においては、ホルダ１の頭部３に設けられた環状の支持部６と、剃刀ヘッド４に設けられた被支持部７との間に環状の弾性部８が介在され、剃刀ヘッド４がその弾性部８により付勢されて静止する中立位置からその弾性部８の付勢力に抗して頭部３の正面側への向きなどを含む三次元方向に傾動した首振り位置を取り得る。
【００３５】
図２（ｂ）及び図３（ａ）（ｂ）に示すように、剃刀ヘッド４に設けられた組付部９は、主体部１０と枠体部１１とを備えている。組付部９の主体部１０においては、台部１２と覆い部１３との間で複数の刃体１４が組み付けられている。前記被支持部７は台部１２から突設された連結部７ａと前記弾性部８に取着された連結部７ｂとを有し、その両連結部７ａ，７ｂが互いに挿着されている。
【００３６】
組付部９の枠体部１１は、各刃体１４の刃先１４ａの延設方向Ｙ（左右方向）に対し直交する上下方向Ｚの両側のうち、刃先１４ａ側に設けられた下側の外枠部１５と、刃先１４ａ側に対する反対側に設けられた上側の外枠部１６と、刃先１４ａの延設方向Ｙ（左右方向）の両側で下側の外枠部１５と上側の外枠部１６とを互いにつなぐ左側の外枠部１７及び右側の外枠部１８と、これらの外枠部１５，１６，１７，１８で囲まれて前後方向Ｘに開放された開孔１９とを有している。主体部１０は開孔１９に嵌め込まれ、主体部１０の下側と上側と左側と右側とを互いにつなぐ外周が各外枠部１５，１６，１７，１８で囲まれている。刃体１４の刃先１４ａは開孔１９で前方へ露出している。
【００３７】
図２（ｂ）、図３（ａ）（ｂ）及び図４（ａ）（ｂ）に示すように、枠体部１１において上側の外枠部１６には貫通孔２０が前後方向Ｘ（貫通方向）に貫設されて開放されている。貫通孔２０の内周において、前側の端縁部２０ａと後側の端縁部２０ｂとの間で、下側の内側部２１と左側の内側部２２と右側の内側部２３と上側の内側部２４とが形成されている。左側の内側部２２及び右側の内側部２３では、左側の内側面２２ａ及び右側の内側面２３ａが段差面２２ｂ，２３ｂを介して形成されている。上側の内側部２４では、上側の内側面２４ａが前側の端縁部２０ａと後側の端縁部２０ｂとの間の全体にわたり左側の内側面２２ａ及び右側の内側面２３ａと連続して形成されている。下側の内側部２１では、下側の内側面２１ａと、前記主体部１０の覆い部１３の上側との間で段差状をなす段差面２１ｂとが形成されている。
【００３８】
貫通孔２０のそれらの内側部２１，２２，２３，２４で環状に連続する前側の端縁部２０ａと後側の端縁部２０ｂとの間には、シェービングエイド２５が射出成形により組付部９の枠体部１１と一体的に取着されている。シェービングエイド２５は、水溶性のポリエチレンオキシドなどの水溶性成分と、エラストマー樹脂などの軟質樹脂を含む非水溶性成分とを含んで成形されている。非水溶性成分において軟質樹脂がシェービングエイド２５の全体に対し占める重量割合は、水溶性成分がシェービングエイド２５の全体に対し占める重量割合より大きく設定されている。エラストマー樹脂は３０％以上の重量割合（実施形態では５０％若しくはそれ以上の重量割合）に設定され、水溶性成分は５０％以下の重量割合（実施形態では１５％の重量割合）に設定されている。
【００３９】
なお、剃刀ヘッド４における組付部９の主体部１０及び枠体部１１と被支持部７について、刃体１４以外は樹脂により成形されている。
シェービングエイド２５は、貫通孔２０の内側部２１，２２，２３，２４で内側面２１ａ，２２ａ，２３ａ，２４ａ及び段差面２１ｂ，２２ｂ，２３ｂに取着された環状の支持部２６と、その支持部２６の内側に形成された非支持部２７とを有している。その支持部２６及び非支持部２７は一体成形されて前後方向Ｘ（厚み方向）の両側へ開放されている。支持部２６は、内側面２１ａ，２２ａ，２３ａ，２４ａに取着された連結部２６ａと、段差面２１ｂ，２２ｂ，２３ｂに取着された連結部２６ｂとを有している。段差面２１ｂ上の連結部２６ｂは主体部１０の覆い部１３の上側に隣接している。支持部２６の内側には非支持部２７の後側に並ぶ空域部２６ｃが形成されている。非支持部２７は、支持部２６との境で環状に形成された変形可能部２８と、その変形可能部２８の内側に形成された可動部２９とを有している。変形可能部２８は、環状の溝部２８ａ（膨出緩和部）と、その溝部２８ａにより形成された環状の薄肉部２８ｂ（可撓部）とを有している。可動部２９は、薄肉部２８ｂの内周で前方へ屈曲されて薄肉部２８ｂの内側に形成された空域部２９ａにより膨出し、溝部２８ａにより囲まれている。貫通孔２０の前側の端縁部２０ａを通る平面上には支持部２６の連結部２６ａ，２６ｂ及び非支持部２７の可動部２９が位置し、貫通孔２０の後側の端縁部２０ｂを通る平面上には支持部２６の連結部２６ａが位置している。非支持部２７の最大厚みは支持部２６の最大厚みより薄く設定されている。シェービングエイド２５において、刃先１４ａの延設方向Ｙ（左右方向）に対し交叉する上下方向Ｚの幅は、その延設方向Ｙの両側ほど狭く設けられ、その両側間の中間で最も広く設けられている。
【００４０】
主体部１０の覆い部１３の上側において、左右両側でそれぞれ一つずつ形成された凹部１３ａと、左右両凹部１３ａ間で形成された複数の凹部１３ｂとが貫通孔２０の前側の端縁部２０ａに沿って左右方向Ｙへ並設されてシェービングエイド２５に面して開放されている。中間の各凹部１３ｂは左右両凹部１３ａを結ぶ面の内側に位置している。シェービングエイド２５から溶け出た水溶性成分や、皮膚に予め塗布されたシェービングフォームなどのシェービング補助剤が、左右両凹部１３ａより中間の各凹部１３ｂに入り易くなって溜まり易い。
【００４１】
主体部１０の覆い部１３の左右両側には上下方向Ｚへ延びる帯状の突部１３ｃが形成され、それらの突部１３ｃの頂面は各刃体１４の刃先１４ａを通る面上にほぼ位置する。左右両突部１３ｃは、使用時に皮膚面に対し各刃先１４ａとともに接触し、剃刀ヘッド４を安定させながら上下方向Ｚへ案内する。
【００４２】
また、図２（ｂ）に示すように、枠体部１１において下側の外枠部１５の後側に形成された段差部３０にはシェービングエイド３１が上側の外枠部１６のシェービングエイド２５とともに同時に射出成形されて組付部９の枠体部１１と一体的に取着されている。段差部３０のシェービングエイド３１は主体部１０の覆い部１３の下側に隣接している。
【００４３】
ちなみに、図３（ａ）（ｂ）において剃刀ヘッド４の組付部９（主体部１０及び枠体部１１）については、左右方向Ｙの最大寸法が約４８ｍｍ、上下方向Ｚの最大寸法が約３０ｍｍにそれぞれ設定されている。また、図４（ａ）（ｂ）において、シェービングエイド２５の支持部２６の最大厚みが約３ｍｍに設定され、シェービングエイド２５の非支持部２７の薄肉部２８ｂ及び可動部２９の最大厚みは約０．８ｍｍに設定され、０．５〜１．５ｍｍに設定することが好ましい。
【００４４】
次に、剃刀の作用をシェービングエイド２５，３１の機能を中心に説明する。
使用時に中立位置の剃刀ヘッド４を皮膚面に押さえ付けて膚毛を剃ると、剃刀ヘッド４は押さえ付けられる向きに応じて首振り機構５の弾性部８の付勢力に抗して傾動し、膚毛を剃る際の抵抗を和らげる。剃刀ヘッド４のシェービングエイド２５，３１は水分を含んだ状態で皮膚面に当てがわれるため、剃刀ヘッド４の滑りを良くして剃り味を向上させる。非支持部２７に変形可能部２８を有するシェービングエイド２５については、皮膚面との接触に伴い溝部２８ａ及び薄肉部２８ｂで変形し得るため、皮膚面に対する感触を良くするとともに、水分を含んで膨張変形する方向を溝部２８ａ内や厚み方向Ｘの両側に分散するため、膨張変形に伴う皮膚面への接触を緩和して、より一層剃り味を向上させる。
【００４５】
本実施形態は下記の効果を有する。
（１）  シェービングエイド２５自体が変形して、使用時にシェービングエイド２５と皮膚面との接触による剃り抵抗を緩衝するので、皮膚面に対する感触を良くして剃り味を向上させることができる。
【００４６】
（２）  シェービングエイド２５自体が変形するので、シェービングエイドを有する台部材が揺動する従来の剃刀と比較して、シェービングエイド２５の支持構造を簡単にすることができる。
【００４７】
（３）  シェービングエイド２５が水分を含んで膨張変形する方向を膨出緩和部として溝部２８ａ内や厚み方向Ｘの両側に分散するため、シェービングエイド２５が必要以上に膨張変形するのを抑え、膨張変形に伴う皮膚面への接触を緩和するとともに刃体１４の刃先１４ａが皮膚面に適切に当り易くして剃り味を向上させることができる。
【００４８】
前記実施形態以外にも例えば下記のように構成してもよい。
・  前記実施形態において、首振り機構５を省略し、剃刀ヘッド４をホルダ１の頭部３に対し首振り不能に支持する。
【００４９】
・  前記実施形態において、主体部１０と枠体部１１とを一体化した剃刀ヘッド４にシェービングエイド２５，３１を設ける。
・  前記実施形態において、剃刀ヘッド４のシェービングエイド３１を省略する。
【００５０】
・  シェービングエイド２５を剃刀ヘッド４以外、例えばホルダ１やキャップ４ａに設けてもよい。
【符号の説明】
【００５１】
９…剃刀ヘッドの組付部、１４…刃体、２５…シェービングエイド、２６…支持部、２７…非支持部、２８…変形可能部、２８ａ…溝部（膨出緩和部）、２８ｂ…薄肉部（可撓部）、Ｘ…厚み方向。
【図１】
2014090932.tif 000003
【図２】
2014090932.tif 000004
【図３】
2014090932.tif 000005
【図４】
2014090932.tif 000006